(57)【要約】【課題】使用済みの垂れ幕や横断幕を廃棄することなく、これを適宜の大きさにカットして袋物を製作して再利用する。【解決手段】垂れ幕や横断幕１に遠くから視認できるように大きく表示された文字や模様等の表示部２以外の部分に、予め企業のロゴマークや宣伝文言等の宣伝表示３を、遠くからでは視認できないように、小さく、且つ前記表示部２よりは目立たない薄い色で着色表示しておき、前記垂れ幕や横断幕１の使用後に、使用済み垂れ幕または横断幕１に型紙に基づいてカットライン５を形成すると共に、該カットライン５に沿ってカット片６を切り離し、該カットされたカット片６を洗浄し、然る後、前記カット片６を接合して袋物４として使用済み垂れ幕または横断幕１を再利用する。【選択図】図２
2012123084.tif 000002
【特許請求の範囲】
【請求項１】
垂れ幕や横断幕に遠くから視認できるように大きく表示された文字や模様等の表示部以外の部分に、予め企業のロゴマークや宣伝文言等の宣伝表示を、遠くからでは視認できないように、小さく、且つ前記表示部よりは目立たない薄い色で着色表示しておき、前記垂れ幕や横断幕の使用後に、使用済み垂れ幕または横断幕に型紙に基づいてカットラインを形成すると共に、該カットラインに沿ってカット片を切り離し、該カットされたカット片を洗浄し、然る後、前記カット片を接合して袋物とすることを特徴とする使用済み垂れ幕または横断幕の再利用方法。
【発明の詳細な説明】
【技術分野】
【０００１】
本発明は、広告や宣伝、あるいは案内表示等の目的で、屋外のビル等の壁面や、道路の横断歩道橋の橋桁等に取付けられる垂れ幕や横断幕に、遠くから視認できるように、大きく表示された文字や模様等の表示部以外の部分に、予め企業のロゴマークや宣伝文言等の宣伝表示を、遠くからでは視認できないように、小さく着色表示しておき、前記垂れ幕や横断幕の使用後に、これら使用済みの垂れ幕や横断幕を廃棄することなく、これを適宜の大きさにカットしてかばん、手提げバッグ、財布、カードケース等の袋物を製作すると共に、前記製作された袋物を所有者が持ち歩くことにより、前記垂れ幕や横断幕の使用時には単なる着色として見えなかった前記宣伝表示を、第三者が目視して認識することができ、動く広告体として機能し、また所有者も常に前記宣伝表示を視認することにより、企業の宣伝効果を上げることができるようにした使用済みの垂れ幕または横断幕の再利用方法に関するものである。
【背景技術】
【０００２】
従来、使用済みの垂れ幕または横断幕は、再利用されることなく、廃棄物として処理されていた。そして、使用済みの垂れ幕または横断幕の再利用方法につき過去の特許文献を遡及検索しても、１件の特許文献をも発見することができなかった。そして、下記の２件の特許文献に開示された横断幕が公知であるが、いずれも分別処理をしないですべて焼却処理ができるということが、その効果として記載されている。しかしながら、下記の特許文献に記載の発明には、使用済みの横断幕を再利用するということについては全く記載されておらず、またそれを示唆する記載も全くない。そして、当然ながら、再利用して製作された前記２次製品によって、企業の広告効果を大ならしめるという記載も全くない。
【先行技術文献】
【特許文献】
【０００３】
【特許文献１】実用新案登録第３１０５６１６号公報
【特許文献２】実用新案登録第３１１３８９８号公報
【発明の概要】
【発明が解決しようとする課題】
【０００４】
前記のように、従来は使用済みの垂れ幕または横断幕を再利用するという発想は全くなく、また前記各特許文献に記載の横断幕も使用済みとなった場合は、焼却処理することを目的としているため、再利用を図ることを全く考慮にいれていないので、強靭で、防水性および耐熱性に優れている素材により形成された垂れ幕や横断幕が、使用後に廃棄されるのは、資源の無駄使いであって、「エコ」とか「再利用(リユース)」、あるいは「リサイクル」など、声高に叫ばれている昨今の状況には全くそぐわないという課題があった。
【０００５】
本発明は、前記課題を解決すべくなされたものであって、垂れ幕や横断幕に遠くから視認できるように、大きく表示された文字や模様等の表示部以外の部分に、予め企業のロゴマークや宣伝文言等の宣伝表示を、遠くからでは視認することが出来ないように、小さく着色表示しておき、前記垂れ幕や横断幕の使用後は、該使用済みの垂れ幕または横断幕を全く廃棄することなく、これを適宜の大きさにカットして袋物を製作すると共に、前記製作された袋物を所有者が持ち歩くことにより、前記垂れ幕や横断幕の使用時には単なる着色としてしか見えなかった前記宣伝表示を第三者が目視して認識することができ、動く広告体として機能し、また所有者も常に広告表示を視認することにより、企業の宣伝効果を上げることができるようにしたものであって、最初から再利用することを意図して垂れ幕または横断幕が製作され、使用後は垂れ幕または横断幕を再利用する方法を提供しようとするものである。
【課題を解決するための手段】
【０００６】
本発明は、垂れ幕や横断幕に遠くから視認できるように大きく表示された文字や模様等の表示部以外の部分に、予め企業のロゴマークや宣伝文言等の宣伝表示を、遠くからでは視認できないように、小さく、且つ前記表示部よりは目立たない薄い色で着色表示しておき、前記垂れ幕や横断幕の使用後に、使用済み垂れ幕または横断幕に型紙に基づいてカットラインを形成すると共に、該カットラインに沿ってカット片を切り離し、該カットされたカット片を洗浄し、然る後、前記カット片を接合して袋物とするという手段を採用することにより、上記課題を解決した。
【発明の効果】
【０００７】
本発明方法によれば、使用済みの垂れ幕または横断幕を、これを適宜の大きさにカットして袋物を製作すると共に、前記製作された袋物を所有者が持ち歩くことにより、垂れ幕や横断幕の使用時には単なる着色として見えなかった企業の宣伝表示を目視して認識することができ、これにより企業の宣伝効果を上げることができるので、宣伝効果を期待する企業からの使用済み垂れ幕または横断幕の処理依頼が増えるし、また、購入者にとっても前記再利用製品を購入することで、資源の無駄使いをなくすということに協力するという意欲を高めて、購入者の購入意欲をそそり、前記宣伝表示に係る企業にとっても宣伝費がかからず、メリットが大きい。
【図面の簡単な説明】
【０００８】
【図１】本発明使用済みの垂れ幕または横断幕の再利用方法において、使用済みの横断幕にカットラインを形成した状態を示す平面図である。
【図２】本発明使用済みの垂れ幕または横断幕の再利用処理方法を用いて製作された袋物（手提げバッグ）の正面図である。
【実施例】
【０００９】
汎用されている垂れ幕または横断幕の生地は、該垂れ幕または横断幕が屋外において長期間に亘って、風雨や太陽光に曝されるものであるため、これら風雨や太陽光に耐え得る防水性や耐熱性を有する強靭な素材により形成されており、特にビニール系のターポリン、テトロン系化繊であるトロマット、綿系の帆布が一般に使用されている。
【００１０】
本発明者は、長期間に亘って風雨や太陽光に曝されても破損することのない、前記防水性や耐熱性を有する強靭な生地により形成された垂れ幕または横断幕の使用後、廃棄処分されるのは資源の無駄使いであるという観点から、特に最近、一般の素材を使用することなく、今迄にない変った素材を使用することが、若者に受け入れられる傾向にあることに鑑み、垂れ幕や横断幕に遠くから視認できるように大きく表示された文字や模様等の表示部以外の部分に、予め企業のロゴマークや宣伝文言等の宣伝表示を、遠くからでは視認できないように、小さく、且つ前記表示部よりは目立たない薄い色で着色表示しておき、前記垂れ幕や横断幕の使用後に、使用済み垂れ幕または横断幕を適宜カットして、該表示部の文字や色彩をそのまま利用して、袋物を製作すると共に、完成した袋物として販売し、前記製作された袋物を所有者が持ち歩くことにより、垂れ幕や横断幕の使用時には、遠くからでは単なる着色として見えなかった前記宣伝表示を、近くから第三者および所有者が目視して認識することができ、これにより企業の宣伝効果を上げ、従来は廃棄処分していた使用済みの垂れ幕または横断幕を再利用して、資源の有効利用を図ることを目的として発明したものである。
【００１１】
本発明で再利用する使用済みの垂れ幕または横断幕の生地は、前記ターポリン、トロマット、あるいは帆布の外、垂れ幕または横断幕として使用されたものはすべて利用する。以下、本発明における使用済み垂れ幕または横断幕の再利用方法について詳細に説明する。
【００１２】
本発明においては、ビルの壁面や横断歩道橋等の高い所に取付けられる垂れ幕または横断幕１は、文字や模様の表示部２が、歩行者、ドライバー等が、歩行中または運転中の車内等、離れた位置からでも視認することができるよう、大きく表示されると共に、該表示部２以外の空白部分に、歩行中または運転中の車内等、遠く離れた位置からでは視認できないように、企業のロゴマークや宣伝文言等の宣伝表示３を、小さく、且つ前記表示部３より目立たない色で着色表示して形成されている。
【００１３】
そして、前記垂れ幕または横断幕１の掲示期間が終った後、使用済みの垂れ幕または横断幕１は、その掲示者より処理を依頼されると、該使用済みの垂れ幕または横断幕１の大きさ、表示部２の文字や模様あるいは色彩、および宣伝表示３の表示内容によって、デザイナー等がどの部分をカットして、かばん、手提げバッグ、財布、カードケース等の袋物４を製作するための型紙（図示せず）を作成する。その際、デザイナー等は、前記使用済みの垂れ幕または横断幕１の表示部２の外に、宣伝表示が必ず含まれるよう、前記型紙を作成する。
【００１４】
そして、前記作成された型紙に沿って前記使用済みの垂れ幕または横断幕１にカットライン５を形成すると共に、該カットライン５に沿ってカット片６を切り離し、該カットされたカット片６を洗濯機等の洗浄装置に投入して洗浄し、前記カット片６に付着した汚れを落して乾燥させ、清浄なカット片６とする。
【００１５】
次に、前記カット片６を前記型紙に基づいて接合して、袋物４を製作する。その際、ファスナー、ボタンや持ち手等の補助部材７を使用してもよい。なお、前記袋物４は、使用済みの垂れ幕または横断幕１の大きさによって、その製作される数は制約される。
【符号の説明】
【００１６】
１  使用済みの垂れ幕または横断幕
２  表示部
３  宣伝表示
４  袋物
５  カットライン
６  カット片
７  補助部材
【図１】
2012123084.tif 000003
【図２】
2012123084.tif 000004